(57)【特許請求の範囲】
【請求項１】
排泄物の固形物が便器に付着することを防止するシートであって、
水の浸透が可能で、水に対する分散のし易さを示す耐水性の高い第１シート体と、
水の浸透が可能で、第１シート体に積層される前記耐水性の低い第２シート体とを含み、
厚み方向一方を基準にして凸部と凹部とを有し、凸部および凹部の一方が、厚み方向に垂直でありかつ相互に垂直な方向に交互に並んで形成され、凸部および凹部は、中間部によって連結され、凸部および凹部の肉厚が、中間部の肉厚よりも小さいことを特徴とする排泄物付着防止シート。
【請求項２】
前記耐水性は、ＪＩＳ  Ｐ４５０１に規定されるトイレットペーパーほぐれテスト法によって測定され、
第１シート体の前記耐水性は、１００秒を超え、３００秒以下の範囲であり、
第２シート体の前記耐水性は、２０秒以上、１００秒以下の範囲であることを特徴とする請求項１記載の排泄物付着防止シート。
【請求項３】
第１シート体および第２シート体の少なくともいずれか一方に、消臭剤が付着されていることを特徴とする請求項１または２記載の排泄物付着防止シート。
【発明の詳細な説明】
【技術分野】
【０００１】
本発明は、便器に排泄物の固形物が付着することを防止するためのシートに関する。
【背景技術】
【０００２】
たとえば身体障害者など、身体の不自由な人は、トイレットまで移動するのが困難であるので、寝室などに設置可能なポータブルトイレが用いられている。このポータブルトイレは、排泄物を受ける可搬形の容器を有しており、使用後に容器をトイレットに運び、排泄物を水洗式のトイレットに廃棄できるように構成されている。このようなポータブルトイレを用いるにあたっては、排泄物の固形物が前記容器に付着すると、後処理に手間を要するので、事前に容器へ水を貯留し、トイレットペーパーおよびティッシュなどを敷いて、その上に排泄するようにしている。
【０００３】
また、水洗便器の水たまり部に浮べられ、排泄された便から試料を採取するために便を受けるための採便用便受けシートが知られている。この採便用便受けシートは、水溶紙の表面を、耐水性インキ、または耐水性樹脂によって耐水処理に構成されている。（たとえば特許文献１参照）
また、採便用便受けシートと同様の目的で用いられる便採取用一時シートが知られている。この便採取用一時シートは、ポリビニルアルコールなどからなるフィルムに、水分散性紙を積層して構成される。（たとえば特許文献２参照）
【０００４】
【特許文献１】特開平１０−６８７２６号公報
【特許文献２】特開平１０−２２７７８７号公報
【発明の開示】
【発明が解決しようとする課題】
【０００５】
トイレットペーパーは、水洗式のトイレットで使用し、便器から排泄物とともに配管を介して流すことができるようにするために、水が付着すると、繊維同士が容易に遊離して分散するように構成されている。したがって前述のような排泄物の固形物の付着を防止する目的で用いても、排泄物の固形物の荷重で破れて分散してしまうので、固形物を受け止めて容器に付着することを防止することができない。
【０００６】
ティッシュは、水が付着しても、繊維同士が遊離しにくい構成であり、排泄物を受け止めて、容器への付着を防止することはできるが、水洗式のトイレットに排泄物とともに廃棄して流すと、配管が詰まるなどのトラブルを生じてしまうので、水洗式のトイレットに廃棄して流すことができない。
【０００７】
特許文献１および２のシートは、便の一部を採取するためのシートであって、その目的が異なり、ポータブルトイレの容器に排泄物の固形物が付着しないようにすることができるシートではない。
【０００８】
本発明の目的は、排泄物の固形物が便器に付着することを防止することができ、かつ廃棄処理が容易な排泄物付着防止シートを提供することである。
【課題を解決するための手段】
【０００９】
本発明は、排泄物の固形物が便器に付着することを防止するシートであって、
水の浸透が可能で、水に対する分散のし易さを示す耐水性の高い第１シート体と、
水の浸透が可能で、第１シート体に積層される前記耐水性の低い第２シート体とを含み、
厚み方向一方を基準にして凸部と凹部とを有し、凸部および凹部の一方が、厚み方向に垂直でありかつ相互に垂直な方向に交互に並んで形成され、凸部および凹部は、中間部によって連結され、凸部および凹部の肉厚が、中間部の肉厚よりも小さいことを特徴とする排泄物付着防止シートである。
【００１０】
本発明に従えば、水の浸透が可能で、水に対する分散のし易さを示す耐水性の高い第１シート体と水の浸透が可能で、前記耐水性の低い第２シート体とが積層されている。厚み方向一方を基準にして凸部と凹部とを有し、凸部および凹部の一方が、厚み方向に垂直でありかつ相互に垂直な方向に交互に並んで形成され、凸部および凹部は、中間部によって連結され、凸部および凹部の肉厚が、中間部の肉厚よりも小さい。これによって排泄物付着防止シートは、第１シート体の高い耐水性によって、液体が付着しても容易に分散されてしまうことがなく、排泄時に、前もって敷いておくことによって、排泄物の固形物を受け止めて、排泄物の固形物が便器に付着することを防止することができる。さらに水洗式のトイレットなどから排泄物とともに流すときには、その水流などの外力によって第１シート体も分散され、配管に詰まるなどのトラブルを生じることがない。
本発明は、前記耐水性は、ＪＩＳ  Ｐ４５０１に規定されるトイレットペーパーほぐれテスト法によって測定され、第１シート体の前記耐水性は、１００秒を超え、３００秒以下の範囲であり、第２シート体の前記耐水性は、２０秒以上、１００秒以下の範囲であることを特徴とする。
【００１１】
本発明は、第１シート体および第２シート体の少なくともいずれか一方に、消臭剤が付着されていることを特徴とする。
【００１２】
本発明に従えば、消臭剤が付着されているので、排泄物から発生する臭いを抑制することができる。
【発明の効果】
【００１３】
本発明によれば、便器に排泄物の固形物が付着しないので、使用後の便器の洗浄などの後処理を容易にすることができる。また排泄物付着防止シートは、排泄物とともに水洗式のトイレットに廃棄して流すことができ、汚物となる排泄物付着防止シートの廃棄処理が容易であり、かつ衛生的である。
【００１４】
また本発明によれば、排泄物付着防止シートによって、排泄物から発生する臭を抑制することができるので、周囲の環境悪化を抑制することができる。
【発明を実施するための最良の形態】
【００１５】
図１は、本発明の実施の一形態の排泄物付着防止シート１の一部を、積層構成の理解が容易になるように簡略化して示す断面図である。図２は、排泄物付着防止シート１全体を簡略化して示す斜視図である。図１には、詳細な形状を無視して、積層構成を示す。排泄物付着防止シート１は、排泄時に、排泄物の固形物が便器に付着することを防止するために用いられる。排泄物付着防止シート１は、厚み寸法Ｔがたとえば１ｍｍであり、厚み方向に垂直な形状が長方形状で、一方の辺の長さＬ１が１０〜４５ｃｍであり、他方の辺の長さＬ２が１０〜４５ｃｍである直方体状のシートである。
【００１６】
この排泄物付着防止シート１は、耐水性の高い第１シート体２と、第１シート体２に積層される耐水性の低い第２シート体３とを含んで構成される。また第１シート体２および第２シート体３の一方または両方に、消臭剤が付着されている。本実施の形態では、第２シート体３の第１シート２とは反対側の表面に、消臭剤が塗布されて消臭剤層４が形成されている。
【００１７】
第１および第２シート体２，３は、セルロースから成る繊維が相互に係止されることによってシート状に形成されて構成される。第１シート体２は、たとえば坪量が１７ｇ／ｍ２である。この第１シート体２の耐水性は、比較的高く、たとえば日本工業規格、具体的にはＪＩＳ  Ｐ４５０１に規定されるトイレットペーパーほぐれテスト法によって測定すると、１００秒を超え、３００秒以下の範囲である。第２シート体３は、たとえば坪量が２０ｇ／ｍ２である。この第２シート体３の耐水性は、比較的低く、たとえば前記トイレットペーパーほぐれテスト法によって測定すると、２０秒以上１００秒以下の範囲である。
【００１８】
耐水性とは、対液体分散性であり、水、薬液および尿などを含む液体が付着したときに、繊維同士が互いに遊離して分散するときの分散のし易さ、言い換えるとほぐれ易さである。第１および第２シート体２，３は、耐水性を調整するための薬剤の添加量（０を含む）、繊維の長さ、繊維のフィブリル化の度合および繊維の太さなどを調整することによって、前述のような耐水性が得られるように構成されている。
【００１９】
消臭剤層４は、消臭剤として、アンモニア臭を抑制する薬剤が用いられ、この薬剤が塗布されることによって構成される。アンモニア臭を抑制する薬剤は、アンモニアを分解するバクテリアが含有される薬剤によって実現される。
【００２０】
図３は、排泄物付着防止シート１の一部を、形状の理解が容易になるように簡略化して示す断面図である。排泄物付着防止シート１は、厚み方向一方を基準にして凸部（以下「山部」という）５と凹部（以下「谷部」という）６とを有し、山部５および谷部６の一方が、格子状に並んで、換言すれば、厚み方向に垂直でありかつ相互に垂直な方向に交互に並んで、形成される。山部５は、厚み方向一方、たとえば第１シート体２側へ突出する部分であり、谷部６は、厚み方向他方、たとえば第２シート体３側へ突出する部分である。これら山部５と谷部６とは、中間部７によって連結されている。このように排泄物付着防止シート１が有する凹凸は、１辺が３ｍｍのひし形の凸部または凹部が並ぶ形状であり、深さ（厚み方向寸法）は１ｍｍである。
【００２１】
各山部５および各谷部６の肉厚Ｔ５，Ｔ６は、中間部７の肉厚Ｔ７よりも小さい。ここで各肉厚Ｔ５〜Ｔ７は、排泄物付着シート１の厚み方向の寸法を意味するのではなく、それら各部５〜７の真の厚みである。排泄物付着シート１の厚み寸法Ｔは、山部５と谷部６との厚み方向の距離であり、前記凹凸の深さと略同一（１ｍｍ）である。
【００２２】
図４は、排泄物付着防止シート１の製造設備の一部を構成するエンボス加工装置１０を簡略化して模式的に示す正面図である。図５は、エンボス加工装置１０に備えられるエンボス加工ローラ１１を示す斜視図である。エンボス加工装置１０は、一対のエンボス加工ローラ１１が、弾発的に当接された状態で、その軸線Ｌ１１まわりに回転自在に設けられている。各エンボス加工ローラ１１は、金属製であり、略円筒状の外周面が、互いに異なる２方向に、たとえば軸線方向および周方向に、凸部と凹部とが交互に並ぶ凹凸状に形成されている。またエンボス加工装置１０は、各エンボス加工ローラ１１を加熱する加熱手段１２を備えている。
【００２３】
エンボス加工装置１０には、第１および第２シート体２，３が積層された状態で搬送される。この第１および第２シート体２，３は、回転駆動される各エンボスローラ１１間を、搬送方向Ａへ通過される。このとき、第１および第２シート体２，３は、加熱加圧されて、第１および第２シート体２，３が一体化、具体的には、水素結合によって結合されて一体化され、山部５、谷部６および中間部７を有する凹凸状の排泄物付着防止シート１が形成される。
【００２４】
第１および第２シート体２，３に、エンボスローラ１１によって加えられる圧力は、部分的に異なる。この圧力の差異によって、図３に示すように、山部５および谷部６と、中間部７とで、肉厚の異なる排泄物付着防止シート１が形成される。このように肉厚が薄い部分５，６は、機械的な強度が低く、このような部分が形成されることによって、いわばミシン目と同様に、外力が作用したときに、この部分を伝って亀裂を生じやすくなる。
【００２５】
消臭剤層４は、このようなエンボス加工前に第２シート体３に塗布形成されてもよいし、エンボス加工後に第２シート体３に塗布形成されてもよい。
【００２６】
前述のような耐水性を有する第１および第２シート体２，３が積層され、エンボス加工されて結合されて形成される排泄物付着防止シート１の耐水性は、前述のＪＩＳのトイレットペーパーほぐれテスト法によって測定すると、たとえば１１０〜１３０秒前後となる。このような排泄物付着防止シート１は、静液中および緩流液中にあるときは、分散が抑制され、急流液中にあるときは、分散が促進される。この急流液中における分散は、第２シート体３が液体の付着によって繊維同士が遊離することによる分散とは異なり、前記エンボス加工によって、肉厚が小さくなって、引張などの機械的強度が低下している山部５および谷部６において、外力による亀裂を生じることによって、分散する。静液は、容器などに貯留された液体であり、緩流液とは、手動操作で容器を傾けたときに容器内の水が流れ出るときの流速程度で流下する液体であり、急流液は、水洗式のトイレットでタンクから便器を通過する洗浄水の流速程度で流下する液体である。
【００２７】
また排泄物付着防止シート１は、液体に浮遊させた状態で、成人が一回に排泄する排泄物中の固形物の排泄物が乗載されても、その荷重で該シート１自身が分散してしまわない程度の強度を有する。
【００２８】
図６は、ポータブルトイレ１５を示す断面図である。図７は、ポータブルトイレ１５を示す斜視図である。ポータブルトイレ１５は、簡易便器である。たとえば身体障害者などの身体の不自由な人（以下「利用者」という）は、便意を催してから、トイレットに移動するのが困難であるので、ポータブルトイレ１５が寝室などに設置されて用いられる。ポータブルトイレ１５は、利用者が着座することができ、かつ開口１７が形成される本体１６と、本体１６の開口１７に臨んで設けられ、本体１６から離脱させて持ち運ぶことができる可搬形の容器１８とを有する。
【００２９】
排泄物付着防止シート１は、このような簡易便器であるポータブルトイレ１５を利用する場合に、排泄物の固形物が便器に付着、具体的には容器１８に付着することを防止するために用いられる。容器１８には、容器１８の大きさなどにもよるが、深さが約５〜６ｃｍ程度となるように、約２リットル程度の水または消毒液などの薬液を混合した水である液体１９を貯留し、その液体１９の液面に載せるようにして、排泄物付着防止シート１を広げて敷くように設ける。
【００３０】
液体１９は、前もって貯留しておいてもよいが、排泄物付着防止シート１は、ポータブルトイレ１５内での分散を防止するために、排泄直前に設けることが好ましい。また排泄物付着防止シート１は、１枚を、第２シート体３が下方に配置されるようにして設ける。このような状態で、排泄物付着防止シート１上に排泄する。
【００３１】
図８は、排泄物の固形物２０の付着防止メカニズムを示す断面図である。図８（１）は、排泄前の状態を示し、図８（２）は、排泄後の状態を示す。排泄物付着防止シート１は、材質および繊維の太さなどの調整によって、液体１９に載せるように設けると、排泄物付着防止シート１に液体１９が浸透し、そして徐々に沈降するように構成される。沈降速度は小さく、利用者が排泄する時点で、図８（１）に示すように、排泄物付着防止シート１の上に液体の層が形成されるようにして、液体１９のたとえば上層部に浮遊する状態となる。この状態で、利用者によって排泄物が排泄されると、排泄物の固形物２０が乗載される部分が、残余部分に比べて沈み込み、排泄物付着防止シートによって固形物２０を包み込むことができる。
【００３２】
図８（１）に示すように、排泄物付着防止シート１は、その上に液体の層が形成される状態で設けられることになるので、排泄物が排泄物付着防止シート１に当接するときの衝撃力を、排泄物付着防止シート１の上に液体の層によって緩和して、排泄物付着防止シート１の分散、具体的には第１シート体２の分散を抑制することができる。また排泄物の固形物２０が乗載されると、図８（２）に示すように、固形物２０の荷重に基づくエネルギを、第２シート体３が分散するためのエネルギとして吸収し、第２シート体３だけが分散しして第１シート体２の分散を防止する。このようにして、排泄物付着防止シート１全体としては分散することを防止して、固形物２０を包み込んで保持することができ、容器１８への付着を防止することができる。
【００３３】
このように排泄物付着防止シート１によって固形物２０を保持した状態で、容器１８を水洗式のトイレットなどに運び、固形物２０が排泄物付着防止シート１に保持された状態のまま、排泄物および排泄物付着防止シート１を、液体１９とともにトイレットの便器に廃棄することによって、固形物２０の容器１８への付着を防止して、排泄物をトイレットに廃棄することができる。この後、トイレットの便器に水を流すことによって、排泄物を流して処理することができる。このとき、排泄物付着防止シート１は、トイレットの便器を流下する水の力によって、前述のように、エンボス加工により、部分的に強度が低下している山部５および谷部６において、機械的に分断されることによって、分散し、配管に詰まることなく、便器から流下して排出される。
【００３４】
このような本実施の形態によれば、排泄物付着防止シート１は、第１シート体２の高い耐水性によって、液体が付着しても、静液中および緩流液中では、容易に分散されてしまうことがない。したがってポータブルトイレ１５などに液体１９を貯留した状態で、その上に広げるようにして排泄物付着防止シート１を設け、その上に排泄することによって、第２シート体３だけが分散しながら、排泄物の固形物２０を受け止めて、排泄物の固形物２０がポータブルトイレ１５、具体的には容器１８に付着することを防止することができる。このように、ポータブルトイレ１５に排泄物の固形物２０が付着しないので、使用後のポータブルトイレ１５の洗浄などの後処理を容易にすることができる。
【００３５】
さらに排泄物付着防止シート１は、排泄物とともに、水洗式のトイレットの便器に廃棄して、そのトイレットの便器に水を流すと、その水流による外力で、第１シート体２が分散するので、配管などが詰まるなどのトラブルが生じることなく、排出することができる。このように排泄物付着防止シート１は、排泄物とともに水洗式のトイレットに廃棄して流すことができ、汚物の処理が容易であり、かつ衛生的である。
【００３６】
また各層２〜４は、環境を汚染しにくい材料から成っており、この点においても処理を容易にすることができる。たとえば浄化槽式のトイレットに廃棄したとしても、その浄化槽中のバクテリアを死滅させるような薬品は用いられておらず、浄化槽式のトイレットへの廃棄も可能である。
【００３７】
また排泄物付着防止シート１には、消臭剤層４が形成されており、排泄物から発生される臭い、具体的にはアンモニア臭を抑制することができる。したがって、周囲の環境悪化を抑制することができる。
【００３８】
前述の実施の形態は、本発明の例示に過ぎず、構成を変更することができる。たとえば排泄物付着防止シートに、アンモニア臭を覆い隠す臭いを発生する芳香剤を付着させ、具体的には、芳香剤を塗布して芳香剤層を形成するようにしてもよい。
【００３９】
また排泄物付着防止シートは、前述のポータブルトイレで用いることに限定されず、たとえば子供用のおまるなど、他の簡易形の便器で用いるようにしてもよいし、列車および航空機などの移動体のトイレットで用いるようにしてもよい。これらのいずれの場合にも、排泄時には、排泄物付着防止シート全体の分散が防止されることによって、排泄物の固形物が便器に付着することを防止し、水流を利用して便器から流下させるときには、その水流で分散されて、詰まることなく、排出することができる効果を、同様に達成することができる。
【図面の簡単な説明】
【００４０】
【図１】本発明の実施の一形態の排泄物付着防止シート１の一部を、積層構成の理解が容易になるように簡略化して示す断面図である。
【図２】排泄物付着防止シート１全体を簡略化して示す斜視図である。
【図３】排泄物付着防止シート１の一部を、形状の理解が容易になるように簡略化して示す断面図である。
【図４】排泄物付着防止シート１の製造設備の一部を構成するエンボス加工装置１０を簡略化して模式的に示す正面図である。
【図５】エンボス加工装置１０に備えられるエンボス加工ローラ１１を示す斜視図である。
【図６】ポータブルトイレ１５を示す断面図である。
【図７】ポータブルトイレ１５を示す斜視図である。
【図８】排泄物の固形物２０の付着防止メカニズムを示す断面図である。
【符号の説明】
【００４１】
１  排泄物付着防止シート
２  第１シート体
３  第２シート体
４  消臭剤層
５  山部
６  谷部
７  中間部
１０  エンボス加工装置
１１  エンボス加工ローラ
１２  加熱手段
１５  ポータブルトイレ
１８  容器
１９  液体
【図１】
0004647915.tif 000002
【図２】
0004647915.tif 000003
【図３】
0004647915.tif 000004
【図４】
0004647915.tif 000005
【図５】
0004647915.tif 000006
【図６】
0004647915.tif 000007
【図７】
0004647915.tif 000008
【図８】
0004647915.tif 000009